(57)【要約】  本発明は無線通信のための方法及び装置に関する。当該方法は、リソース構成情報を受信することと、当該リソース構成情報に基づいて当該記搬送波において通信することとを含み、当該リソース構成情報は、特定の搬送波の周波数と時間で区分される複数のリソースユニット及び各リソースユニットのタイプ情報を確定するために用いられ、各リソースユニットの当該タイプ情報は、当該リソースユニットが上りリソースユニット、下りリソースユニット、保護リソースユニットののうちの一つであることを示す。当該通信方法によって、改善されるフレーム構成を提供し、上り／下りデータトラフィックの変化を柔軟に適応することができ、そのためネットワーク全体の性能が向上させることができる。
2019516283.tif 000002
【特許請求の範囲】
【請求項１】
無線通信のための方法であって、
リソース構成情報を受信することと、
前記リソース構成情報に基づいて搬送波において通信することとを含み、
ここで、前記リソース構成情報は、特定の搬送波の周波数と時間で区分される複数のリソースユニット及び各リソースユニットのタイプ情報を確定するために用いられ、
各リソースユニットの前記タイプ情報は、当該リソースユニットが上りリソースユニット、下りリソースユニット、保護リソースユニットののうちの一つに属することを示す、前記方法。
【請求項２】
前記リソース構成情報は、前記複数のリソースユニットのうちの前記上りリソースユニット又は前記下りリソースユニットとしての各リソースユニットの関連パラメータを少なくとも含み、前記リソース構成情報は、
時間スパン、
周波数スパン、
サブ搬送波間隔、
サブ搬送波数、
サイクリックプレフィックス（ＣＰ）長さ、
下り測定基準信号（ＲＳ）の有無、
下り測定ＲＳの構成情報、
上り検出信号（ＳＲＳ）の送信をサポートするかどうか、
ＳＲＳの構成情報、
物理上りリンク制御チャネル（ＰＵＣＣＨ）の送信をサポートするかどうか、
ＰＵＣＣＨの構成情報、
物理下りリンク制御チャネル（ＰＤＣＣＨ）又は補強の物理下りリンク制御チャネル（ＥＰＤＣＣＨ）の送信をサポートするかどうか、及び
ＰＤＣＣＨ／ＥＰＤＣＣＨの構成情報のうちの少なくとも１つを含む、
請求項１に記載の方法。
【請求項３】
前記複数のリソースユニットの少なくとも一部のリソースユニットの時間スパン及び／又は周波数スパンは相違し、又は、
前記複数のリソースユニットの時間スパン及び周波数スパンは同じである、
請求項１又は２に記載の方法。
【請求項４】
前記複数のリソースユニットには、時間において重なり且つ周波数において重ならない、連続又は近接する第１のリソースユニット、第２のリソースユニット及び第３のリソースユニットが含まれ、
前記第１のリソースユニット、前記第２のリソースユニット及び前記第３のリソースユニットは、それぞれ前記上りリソースユニット、前記保護リソースユニット及び前記下りリソースユニットであり、又は、それぞれ前記下りリソースユニット、保護リソースユニット及び上りリソースユニットである、
請求項１又は２に記載の方法。
【請求項５】
前記複数のリソースユニットには、時間において重なり且つ周波数において重ならない、連続又は近接する第１のリソースユニット、第２のリソースユニット及び第３のリソースユニットが含まれ、
前記第１のリソースユニットと前記第３のリソースユニットは、共に前記上りリソースユニットであり、又は、共に前記下りリソースユニットであり、前記第２のリソースユニットは前記保護リソースユニットである、
請求項１又は２に記載の方法。
【請求項６】
前記第２のリソースユニットは、時間において、前記第１のリソースユニットと前記第３のリソースユニットとの時間において重なる部分をカバーする、
請求項４又は５に記載の方法。
【請求項７】
前記第２のリソースユニットの周波数スパンは、前記第１のリソースユニットと前記第３のリソースユニットの特性によって確定されたものである、
請求項４又は５に記載の方法。
【請求項８】
前記第２のリソースユニットは、前記第１のリソースユニットと前記第３のリソースユニットの前記関連パラメータに基づいて、前記第１のリソースユニットと前記第３のリソースユニットとの間に設けられたものである、
請求項５に記載の方法。
【請求項９】
前記保護リソースユニットは、信号を伝送しないリソースユニットであり、又は、
前記保護リソースユニットは、リソースユニットの外輻射を少なくとも部分的に相殺するための情報を伝送するために用いられる、
請求項１〜５のいずれか１項に記載の方法。
【請求項１０】
前記複数のリソースユニットのタイプ情報及び／又は関連パラメータは、時間において周期的に繰り返され、又は、
前記複数のリソースユニットのタイプ情報及び／又は関連パラメータは、受信される更新したリソース構成情報によって動的に変化され、又は、
前記複数のリソースユニットのタイプ情報及び／又は関連パラメータは、時間において周期的に繰り返されることを基にして、特定の時間帯において前記複数のリソースユニット内の少なくとも一部のリソースユニットのタイプ情報及び／又は関連パラメータが、受信される更新したリソース構成情報よって動的に変化され、前記特定の時間帯の後に、前記基とされる前記周期的に繰り返される前記複数のリソースユニットのタイプ情報及び／又は関連パラメータに回復され、又は、
前記複数のリソースユニットのタイプ情報及び／又は関連パラメータは、時間において周期的に繰り返されることを基にして、特定の時点の後に、前記複数のリソースユニット内の少なくとも一部のリソースユニットのタイプ情報及び／又は関連パラメータが、受信される更新したリソース構成情報よって動的に変化される、
請求項１又は２に記載の方法。
【請求項１１】
前記構成情報は、システム情報、上位レイヤシグナリング、下り制御情報（ＤＣＩ）のうちの少なくとも１つによって受信されるものである、
請求項１０に記載の方法。
【請求項１２】
前記構成情報は、共通の探索空間（ＣＳＳ）において受信される前記ＤＣＩによって取得されるものである、
請求項１１に記載の方法。
【請求項１３】
前記方法は、リソーススケジューリング情報を受信することをさらに含み、
前記リソーススケジューリング情報は、前記複数のリソースユニット内の端末がデータを受信又は送信するための第１のリソースユニットを示し、しかも、前記リソーススケジューリング情報は、前記端末が前記データのための確認情報を送信又は受信するための第２のリソースユニットを示し、又は前記データのためではない確認情報を示す、
請求項１に記載の方法。
【請求項１４】
前記リソーススケジューリング情報は、１つの数値を示し、前記方法は、さらに、
前記数値が０でない場合、第１のリソースユニットの時間位置と時間オフセットとに基づいて前記第２のリソースユニットの時間位置を確定することを含み、
前記時間オフセットは、第１の単位時間スパンと前記数値との積であり、又は、
前記数値が０である場合、前記データのためではない確認情報と確定する、
請求項１３に記載の方法。
【請求項１５】
前記第１の単位時間スパンは、
前記第１のリソースユニットの時間スパンと等しく、又は、
前記第１のリソースユニットの時間スパンによって暗示的に確定され、又は、
基地局によって送信されるシグナリングによって確定される、
請求項１４に記載の方法。
【請求項１６】
無線通信のための方法であって、
リソース構成情報を確定することと、
前記搬送波において通信するために、前記リソース構成情報を送信することとを含み、
前記リソース構成情報は、特定の搬送波の周波数と時間で区分される複数のリソースユニット及び各リソースユニットのタイプ情報を確定するために用いられ、
各リソースユニットの前記タイプ情報は、当該リソースユニットが上りリソースユニット、下りリソースユニット、保護リソースユニットののうちの一つに属することを示す、前記方法。
【請求項１７】
前記リソース構成情報は、前記複数のリソースユニットのうちの前記上りリソースユニット又は前記下りリソースユニットとしての各リソースユニットの関連パラメータを少なくとも含み、前記リソース構成情報は、
時間スパン、
周波数スパン、
サブ搬送波間隔、
サブ搬送波数、
サイクリックプレフィックス（ＣＰ）長さ、
下り測定基準信号（ＲＳ）の有無、
下り測定ＲＳの構成情報、
上り検出信号（ＳＲＳ）の送信をサポートするかどうか、
ＳＲＳの構成情報、
物理上りリンク制御チャネル（ＰＵＣＣＨ）の送信をサポートするかどうか、
ＰＵＣＣＨの構成情報、
物理下りリンク制御チャネル（ＰＤＣＣＨ）又は補強の物理下りリンク制御チャネル（ＥＰＤＣＣＨ）の送信をサポートするかどうか、及び
ＰＤＣＣＨ／ＥＰＤＣＣＨの構成情報のうちの少なくとも１つを含む、
請求項１６に記載の方法。
【請求項１８】
前記複数のリソースユニットの少なくとも一部のリソースユニットの時間スパン及び／又は周波数スパンは相違し、又は、
前記複数のリソースユニットの時間スパン及び周波数スパンは同じである、
請求項１６又は１７に記載の方法。
【請求項１９】
前記複数のリソースユニットには、時間において重なり且つ周波数において重ならない、連続又は近接する第１のリソースユニット、第２のリソースユニット及び第３のリソースユニットが含まれ、
前記第１のリソースユニット、前記第２のリソースユニット及び前記第３のリソースユニットは、それぞれ前記上りリソースユニット、前記保護リソースユニット及び前記下りリソースユニットであり、又は、それぞれ前記下りリソースユニット、前記保護リソースユニット及び前記上りリソースユニットである、
請求項１６又は１７に記載の方法。
【請求項２０】
前記複数のリソースユニットには、時間において重なり且つ周波数において重ならない、連続又は近接する第１のリソースユニット、第２のリソースユニット及び第３のリソースユニットが含まれ、
前記第１のリソースユニットと前記第３のリソースユニットは共に前記上りリソースユニットであり、又は、共に前記下りリソースユニットであり、前記第２のリソースユニットは前記保護リソースユニットである、
請求項１６又は１７に記載の方法。
【請求項２１】
前記第２のリソースユニットは、時間において、前記第１のリソースユニットと前記第３のリソースユニットとの時間において重なる部分をカバーする、
請求項１９又は２０に記載の方法。
【請求項２２】
前記第１のリソースユニットと前記第３のリソースユニットの特性に基づいて前記第２のリソースユニットの周波数スパンを確定する、
請求項１９又は２０に記載の方法。
【請求項２３】
前記第１のリソースユニットと前記第３のリソースユニットのうちの干渉側としての通信パラメータと干渉受け側としての性能要求とに基づいて前記第２のリソースユニットの周波数スパンを確定する、
請求項２２に記載の方法。
【請求項２４】
前記第１のリソースユニットの前記関連パラメータと前記第３のリソースユニットの前記関連パラメータとの少なくとも一部が異なることに基づいて、前記第１のリソースユニットと前記第３のリソースユニットとの間に前記第２のリソースユニットを設ける、
請求項２０に記載の方法。
【請求項２５】
前記第１のリソースユニットの前記サブ搬送波間隔と前記第３のリソースユニットの前記サブ搬送波間隔との少なくとも一部が異なることに基づいて、前記第１のリソースユニットと前記第３のリソースユニットとの間に前記第２のリソースユニットを設ける、
請求項２４に記載の方法。
【請求項２６】
前記保護リソースユニットは、信号を伝送しないリソースユニットであり、又は、
前記保護リソースユニットは、リソースユニットの外輻射を少なくとも部分的に相殺するための情報を伝送するために用いられる、
請求項１６〜２０のいずれか１項に記載の方法。
【請求項２７】
前記方法は、さらに、
前記リソース構成情報を繰り返して送信すること、又は、
動的に変化する複数のリソースユニットのタイプ情報及び／又は関連パラメータを確定するための更新したリソース構成情報を送信すること、又は、
動的に変化する複数のリソースユニットのタイプ情報及び／又は関連パラメータを確定するための更新したリソース構成情報を送信し、当該動的に変化する複数のリソースユニットのタイプ情報及び／又は関連パラメータが特定の時間帯において有効であること、又は、
動的に変化する複数のリソースユニットのタイプ情報及び／又は関連パラメータを確定するための更新したリソース構成情報を送信し、特定の時点の後に、記複数のリソースユニットのタイプ情報及び／又は関連パラメータが更新のリソース構成情報によって動的に変化することを含む、
請求項１６又は１７に記載の方法。
【請求項２８】
前記構成情報は、システム情報、上位レイヤシグナリング、下り制御情報（ＤＣＩ）のうちの少なくとも１つによって送信される、
請求項２７に記載の方法。
【請求項２９】
共通の探索空間（ＣＳＳ）において送信された前記ＤＣＩによって、前記構成情報を搬送する、
請求項２８に記載の方法。
【請求項３０】
前記方法は、さらに、リソーススケジューリング情報を送信することを含み、
前記リソーススケジューリング情報は、前記複数のリソースユニット内の端末がデータを受信又は送信するための第１のリソースユニットを示し、しかも、前記リソーススケジューリング情報は、前記端末が前記データのための確認情報を送信又は受信するための第２のリソースユニットを示し又は前記データのためではない確認情報を示す、
請求項１６に記載の方法。
【請求項３１】
前記リソーススケジューリング情報は、１つの数値を示し、
前記数値は、第１の単位時間スパンに基づいて前記第２のリソースユニットの時間位置を確定するために用いられ、又は、
前記数値を０に設定することで、前記データのためではない確認情報を示す、
請求項３０に記載の方法。
【請求項３２】
前記第１の単位時間スパンは、
前記第１のリソースユニットの時間スパンと等しく、又は、
前記第１のリソースユニットの時間スパンによって暗示的に確定され、又は、
基地局によって送信されるシグナリングによって確定される、
請求項３１に記載の方法。
【請求項３３】
無線通信の装置であって、
リソース構成情報を受信するように構成される受信ユニットと、
前記リソース構成情報に基づいて特定の搬送波の周波数と時間で区分される複数のリソースユニット及び各リソースユニットのタイプ情報を確定し、前記リソース構成情報に基づいて前記搬送波において通信するように構成される処理ユニットとを含み、
各リソースユニットの前記タイプ情報は、当該リソースユニットが上りリソースユニット、下りリソースユニット、保護リソースユニットのうちの一つであることを示す、前記装置。
【請求項３４】
前記リソース構成情報は、前記複数のリソースユニットのうちの前記上りリソースユニット又は前記下りリソースユニットとしての各リソースユニットの関連パラメータを少なくとも含み、前記リソース構成情報は、
時間スパン、
周波数スパン、
サブ搬送波間隔、
サブ搬送波数、
サイクリックプレフィックス（ＣＰ）長さ、
下り測定基準信号（ＲＳ）の有無、
下り測定ＲＳの構成情報、
上り検出信号（ＳＲＳ）の送信をサポートするかどうか、
ＳＲＳの構成情報、
物理上りリンク制御チャネル（ＰＵＣＣＨ）の送信をサポートするかどうか、
ＰＵＣＣＨの構成情報、
物理下りリンク制御チャネル（ＰＤＣＣＨ）又は補強の物理下りリンク制御チャネル（ＥＰＤＣＣＨ）の送信をサポートするかどうか、及び
ＰＤＣＣＨ／ＥＰＤＣＣＨの構成情報のうちの少なくとも１つを含む、
請求項３３に記載の装置。
【請求項３５】
前記複数のリソースユニットの少なくとも一部のリソースユニットの時間スパン及び／又は周波数スパンは相違し、又は
前記複数のリソースユニットの時間スパン及び周波数スパンは同じである、
請求項３３又は３４に記載の装置。
【請求項３６】
前記複数のリソースユニットには、時間において重なり且つ周波数において重ならない、連続又は近接する第１のリソースユニット、第２のリソースユニット及び第３のリソースユニットが含まれ、
前記第１のリソースユニット、前記第２のリソースユニット及び前記第３のリソースユニットは、それぞれ前記上りリソースユニット、前記保護リソースユニット及び前記下りリソースユニットであり、又は、それぞれ前記下りリソースユニット、前記保護リソースユニット及び前記上りリソースユニットである、
請求項３３又は３４に記載の装置。
【請求項３７】
前記複数のリソースユニットには、時間において重なり且つ周波数において重ならない、連続又は近接する第１のリソースユニット、第２のリソースユニット及び第３のリソースユニットが含まれ、
前記第１のリソースユニットと前記第３のリソースユニットは共に前記上りリソースユニットであり、又は、共に前記下りリソースユニットであり、前記第２のリソースユニットは前記保護リソースユニットである、
請求項３３又は３４に記載の装置。
【請求項３８】
前記第２のリソースユニットは、時間において、前記第１のリソースユニットと前記第３のリソースユニットとの時間において重なる部分をカバーする、
請求項３６又は３７に記載の装置。
【請求項３９】
前記第２のリソースユニットの周波数スパンは、前記第１のリソースユニットと前記第３のリソースユニットの特性によって確定されたのもである、
請求項３６又は３７に記載の装置。
【請求項４０】
前記第２のリソースユニットは、前記第１のリソースユニットと前記第３のリソースユニットの前記関連パラメータに基づいて、前記第１のリソースユニットと前記第３のリソースユニットとの間に設けられたものである、
請求項３７に記載の装置。
【請求項４１】
前記保護リソースユニットは、信号を伝送しないリソースユニットであり、又は、
前記保護リソースユニットは、リソースユニットの外輻射を少なくとも部分的に相殺するための情報を伝送するために用いられる、
請求項３３〜３７のいずれか１項に記載の装置。
【請求項４２】
前記複数のリソースユニットのタイプ情報及び／又は関連パラメータは、時間において周期的に繰り返され、又は、
前記複数のリソースユニットのタイプ情報及び／又は関連パラメータは、受信される更新したリソース構成情報によって動的に変化され、又は、
前記複数のリソースユニットのタイプ情報及び／又は関連パラメータは、時間において周期的に繰り返されることを基にして、特定の時間帯において前記複数のリソースユニットの少なくとも一部のリソースユニットのタイプ情報及び／又は関連パラメータが、受信される更新したリソース構成情報よって動的に変化され、前記特定の時間帯の後に、前記基とされる前記周期的に繰り返される前記複数のリソースユニットのタイプ情報及び／又は関連パラメータに回復され、又は、
前記複数のリソースユニットのタイプ情報及び／又は関連パラメータは、時間において周期的に繰り返されることを基にして、特定の時点の後に、前記複数のリソースユニットの少なくとも一部のリソースユニットのタイプ情報及び／又は関連パラメータが、受信される更新したリソース構成情報よって動的に変化される、
請求項３３又は３４に記載の装置。
【請求項４３】
前記構成情報は、システム情報、上位レイヤシグナリング、下り制御情報（ＤＣＩ）のうちの少なくとも１つによって受信されるものである、
請求項４２に記載の装置。
【請求項４４】
前記構成情報は、共通の探索空間（ＣＳＳ）において受信される前記ＤＣＩによって取得されるものである、
請求項４３に記載の装置。
【請求項４５】
前記受信ユニットは、リソーススケジューリング情報を受信し、
前記リソーススケジューリング情報は、前記複数のリソースユニット内の前記装置がデータを受信又は送信するための第１のリソースユニットを示し、しかも、前記リソーススケジューリング情報は、前記装置が前記データのための確認情報を送信又は受信するための第２のリソースユニットを示し、又は前記データのためではない確認情報を示す、
請求項３３に記載の装置。
【請求項４６】
前記リソーススケジューリング情報は、１つの数値を示し、
前記処理ユニットは、前記数値が０でない場合、第１のリソースユニットの時間位置と時間オフセットとに基づいて前記第２のリソースユニットの時間位置を確定し、又は、前記数値が０である場合、前記データのためではない確認情報と確定するように構成され、前記時間オフセットは、第１の単位時間スパンと前記数値との積である、
請求項４５に記載の装置。
【請求項４７】
前記第１の単位時間スパンは、
前記第１のリソースユニットの時間スパンと等しく、又は、
前記第１のリソースユニットの時間スパンによって暗示的に確定され、又は、
前記第１の単位時間スパンが基地局によって送信されるシグナリングによって確定される、
請求項４６に記載の装置。
【請求項４８】
無線通信の装置であって、
リソース構成情報を確定するように構成される処理ユニットと、
前記リソース構成情報を送信するように構成される送信ユニットとを含み、
前記リソース構成情報は、特定の搬送波の周波数と時間で区分される複数のリソースユニット及び各リソースユニットのタイプ情報を確定するために用いられ、
各リソースユニットの前記タイプ情報は、当該リソースユニットが上りリソースユニット、下りリソースユニット、保護リソースユニットののうちの一つに属することを示す、前記装置。
【請求項４９】
前記リソース構成情報は、前記複数のリソースユニットのうちの前記上りリソースユニット又は前記下りリソースユニットとしての各リソースユニットの関連パラメータを少なくとも含み、前記リソース構成情報は、
時間スパン、
周波数スパン、
サブ搬送波間隔、
サブ搬送波数、
サイクリックプレフィックス（ＣＰ）長さ、
下り測定基準信号（ＲＳ）の有無、
下り測定ＲＳの構成情報、
上り検出信号（ＳＲＳ）の送信をサポートするかどうか、
ＳＲＳの構成情報、
物理上りリンク制御チャネル（ＰＵＣＣＨ）の送信をサポートするかどうか、
ＰＵＣＣＨの構成情報、
物理下りリンク制御チャネル（ＰＤＣＣＨ）又は補強の物理下りリンク制御チャネル（ＥＰＤＣＣＨ）の送信をサポートするかどうか、及び
ＰＤＣＣＨ／ＥＰＤＣＣＨの構成情報のうちの少なくとも１つを含む、
請求項４８に記載の装置。
【請求項５０】
前記複数のリソースユニットの少なくとも一部のリソースユニットの時間スパン及び／又は周波数スパンは相違し、又は
前記複数のリソースユニットの時間スパン及び周波数スパンは同じである、
請求項４８又は４９に記載の装置。
【請求項５１】
前記複数のリソースユニットには、時間において重なり且つ周波数において重ならない、連続又は近接する第１のリソースユニット、第２のリソースユニット及び第３のリソースユニットが含まれ、
前記第１のリソースユニット、前記第２のリソースユニット及び前記第３のリソースユニットは、それぞれ前記上りリソースユニット、前記保護リソースユニット及び前記下りリソースユニットであり、又は、はそれぞれ前記下りリソースユニット、前記保護リソースユニット及び前記上りリソースユニットである、
請求項４８又は４９に記載の装置。
【請求項５２】
前記複数のリソースユニットには、時間において重なり且つ周波数において重ならない、連続又は近接する第１のリソースユニット、第２のリソースユニット及び第３のリソースユニットが含まれ、
前記第１のリソースユニットと前記第３のリソースユニットは共に前記上りリソースユニットであり、又は、共に前記下りリソースユニットであり、前記第２のリソースユニットは前記保護リソースユニットである、
請求項４８又は４９に記載の装置。
【請求項５３】
前記第２のリソースユニットは、時間において、前記第１のリソースユニットと前記第３のリソースユニットとの時間において重なる部分をカバーする、
請求項５１又は５２に記載の装置。
【請求項５４】
前記第１のリソースユニットと前記第３のリソースユニットの特性に基づいて前記第２のリソースユニットの周波数スパンを確定する、
請求項５１又は５２に記載の装置。
【請求項５５】
前記第１のリソースユニットと前記第３のリソースユニットのうちの干渉側としての通信パラメータと干渉受け側としての性能要求とに基づいて前記第２のリソースユニットの周波数スパンを確定する、
請求項５４に記載の装置。
【請求項５６】
前記第１のリソースユニットの前記関連パラメータと前記第３のリソースユニットの前記関連パラメータとの少なくとも一部が異なることに基づいて、前記第１のリソースユニットと前記第３のリソースユニットとの間に前記第２のリソースユニットを設ける、
請求項５２に記載の装置。
【請求項５７】
前記第１のリソースユニットの前記サブ搬送波間隔と前記第３のリソースユニットの前記サブ搬送波間隔との少なくとも一部が異なることに基づいて、前記第１のリソースユニットと前記第３のリソースユニットとの間に前記第２のリソースユニットを設ける、
請求項５６に記載の装置。
【請求項５８】
前記保護リソースユニットは、信号を伝送しないリソースユニットであり、又は、
前記保護リソースユニットは、リソースユニットの外輻射を少なくとも部分的に相殺するための情報を伝送するために用いられる、
請求項４８〜５２のいずれか１項に記載の装置。
【請求項５９】
前記送信ユニットは、前記リソース構成情報を繰り返して送信すること、又は、
前記送信ユニット動的に変化する複数のリソースユニットのタイプ情報及び／又は関連パラメータを確定するための更新したリソース構成情報を送信すること、又は、
前記送信ユニット動的に変化する複数のリソースユニットのタイプ情報及び／又は関連パラメータを確定するための更新したリソース構成情報を送信し、当該動的に変化する複数のリソースユニットのタイプ情報及び／又は関連パラメータが特定の時間帯において有効であり、又は、
前記送信ユニット動的に変化する複数のリソースユニットのタイプ情報及び／又は関連パラメータを確定するための更新したリソース構成情報を送信し、特定の時点の後に、記複数のリソースユニットのタイプ情報及び／又は関連パラメータが更新のリソース構成情報によって動的に変化する、
請求項４８又は４９に記載の装置。
【請求項６０】
前記構成情報は、システム情報、上位レイヤシグナリング、下り制御情報（ＤＣＩ）のうちの少なくとも１つによって送信される、
請求項５９に記載の装置。
【請求項６１】
共通の探索空間（ＣＳＳ）において送信された前記ＤＣＩによって、前記構成情報を搬送する、
請求項６０に記載の装置。
【請求項６２】
前記処理ユニットは、リソーススケジューリング情報を生成し、
前記送信ユニットは、前記リソーススケジューリング情報を送信し、
前記リソーススケジューリング情報は、前記複数のリソースユニット内の端末がデータを受信又は送信するための第１のリソースユニットを示し、しかも、前記リソーススケジューリング情報は、前記端末が前記データのための確認情報を送信又は受信するための第２のリソースユニットを示し、又は前記データのためではない確認情報を示す、
請求項４８に記載の装置。
【請求項６３】
前記リソーススケジューリング情報は、１つの数値を示し、
前記数値は、第１の単位時間スパンに基づいて前記第２のリソースユニットの時間位置を確定するために用いられ、又は、
前記数値を０に設定することで、前記データのためではない確認情報を示す、
請求項６２に記載の装置。
【請求項６４】
前記第１の単位時間スパンは、
前記第１のリソースユニットの時間スパンと等しく、又は、
前記第１のリソースユニットの時間スパンによって暗示的に確定され、又は、
基地局によって送信されるシグナリングによって確定される、
請求項６３に記載の装置。
【請求項６５】
通信装置であって、
メモリー及びプロセッサーを含み、
前記プロセッサーがメモリーに記憶される命令を実行する場合、当該通信装置が請求項１〜３２のいずれか１項に記載の方法を実行するように構成される、前記通信装置。
【請求項６６】
コンピュータプログラム製品であって、
命令セットが記憶されるコンピュータ可読媒体を含み、前記命令が少なくとも１つのプロセッサーによって実行され、当該命令セットが実行される場合、製品が請求項１〜３２のいずれか１項に記載の方法を実施する、前記コンピュータプログラム製品。
【発明の詳細な説明】
【技術分野】
【０００１】
本発明は無線通信分野に関し、具体的に、新たなフレーム構造を使用する無線通信のための方法及び装置に関する。
【背景技術】
【０００２】
無線通信ネットワークが広く配置されて、音声、ビデオ、パケットデータ、メッセージ伝送及び放送サービス等のような各種の通信サービスを提供する。これらの無線通信ネットワークは、使用可能なネットワークリソースを共有して複数のユーザーをサポートする多重アクセスネットワークであってもよい。このような多重アクセスネットワークの例として、コード分割多重アクセス（ＣＤＭＡ）ネットワーク、時分割多元接続（ＴＤＭＡ）ネットワーク、周波数分割多重アクセス（ＦＤＭＡ）ネットワーク、直交ＦＤＭＡ（ＯＦＤＭＡ）ネットワーク及びシングルキャリアＦＤＭＡ（ＳＣ−ＦＤＭＡ）ネットワークを含む。
【０００３】
検討中の第五世代(５Ｇ)移動通信システムにおいて、高周波帯域（搬送波周波数が６ＧＨｚ−１００ＧＨｚである）は、重要な配置シーンになる。高周波帯域については、上り及び下りで同じ周波数帯を採用する時分割複信（ＴＤＤ）は、より適切なデュプレックスモードである。現在、長期的な進化（ＬＴＥ）ＴＤＤシステムは、７種のＴＤＤ構成があり、表１に示すように、各サブフレーム（ｓｕｂｆｒａｍｅ）の連続時間が１ｍｓであり、Ｄが下りサブフレームを示し、Ｕが上りサブフレームを示し、Ｓが特別サブフレームを示す。
【表１】
2019516283.tif 000003
【０００４】
図１はＬＴＥ ＴＤＤシステムの無線フレーム構造を示す図であり、ここで、特別サブフレームは下りパイロットタイムスロット（ＤｗＰＴＳ）を含み、下りから上りへの切替の保護時間（ＧP）及び上りパイロットタイムスロット（ＵｐＰＴＳ）に用いられる。
【０００５】
５Ｇシステムが主に高周波帯域に配置されるため、５Ｇシステムのセルによるカバレッジ範囲が４Ｇ及び３Ｇシステムと比べ、大幅に小さくなる。セル範囲が小さくなる場合、各セルのユーザー数のも小さくなり、このようなセルのデータトラフィックは、サービスの変化を伴って速くなる可能である。セルデータトラフィックの高速変化に順応するために、５Ｇシステムは、ＬＴＥ ＴＤＤシステムと同様な構成方式を採用してもよく、即ち、７種のＴＤＤ構成の中で切り替えることによって上り／下りデータトラフィックの変化を適用することができる。しかし、現在のＬＴＥ ＴＤＤシステムの構成は、５Ｇシステムのデータトラフィックの高速動の変化の要求を満たさない可能性がある。
【０００６】
また、主にモバイルブロードバンド（ＭＢＢ：Ｍｏｂｉｌｅ  Ｂｒｏａｄｂａｎｄ）であるＬＴＥシステム等の従来の移動通信システムとは異なり、５Ｇシステムは、多種のニーズの差の大きいサービスをサポートし、それらは、エンハンスドモバイルブロードバンド（ｅＭＢＢ）、信頼性の高い低遅延通信（ＵＲＬＬＣ：Ｕｌｔｒａ  Ｒｅｌｉａｂｌｅ  Ｌｏｗ−ｌａｔｅｎｃｙ  Ｃｏｍｍｕｎｉｃａｔｉｏｎ)及び大規模（低コスト）マシン型通信（ｍＭＴＣ：Ｍａｓｓｉｖｅ  Ｍａｃｈｉｎｅ  Ｔｙｐｅ  Ｃｏｍｍｕｎｉｃａｔｉｏｎ)を少なくとも含む。これらのサービスがレート、遅延、伝送信頼性及び消費電力/エネルギー効率（波形）等の肝心な指標に対する要求はそれぞれ異なり、ひいては大きいな差があるため、５Ｇシステムは、異なるサービスを対応することができるように十分な柔軟性が必要である。
【０００７】
また、５Ｇシステムの周波数帯域幅が広く、１つの搬送波の帯域幅が１００ＭＨｚ以上に達す可能性があるため、５ＧシステムはＬＴＥ ＴＤＤのように搬送波全体で同じ上り／下り割合の構成を使用する場合、大きな制約と無駄とを引き起こす可能性がある。逆に、図１ａのＴＤＤ構成のように、同一の地理的エリア又は隣接する地理エリアにおける同一のＴＤＤ搬送波内部又は周波数領域上の隣接するＴＤＤ搬送波が、異なる上り／下り割合を使用する場合、同じサブフレーム番号に示される上りサブフレーム及び下りサブフレームは、搬送波帯域幅全体において強い上り／下り干渉を引き起こし、システムキャパシティが低下され、ひいては一部のエリアの搬送波が使用不可になることを引き起こす。
【０００８】
そのため、５Ｇシステムでは、同一の搬送波内部及び周波数領域での隣接する搬送波の間の多種の上り／下り割合を効率にサポートして、セルデータトラフィックの高速変化を柔軟に適応し、関連干渉の問題を解決又は低減させる必要がある。
【発明の概要】
【発明が解決しようとする課題】
【０００９】
本発明の実施例は、無線通信システムの上り／下りデータトラフィックの変化を柔軟に適応し、多種の異なるサービスの必要とする無線指標をサポートし、対応する干渉の問題を解決又は低減させることができる無線通信のための方法及び装置を提供する。
【課題を解決するための手段】
【００１０】
本発明の１つの形態は、無線通信のための方法を提供し、リソース構成情報を受信することと、前記リソース構成情報に基づいて前記搬送波において通信することとを含み、前記リソース構成情報は、特定の搬送波の周波数と時間で区分される複数のリソースユニット及び各リソースユニットのタイプ情報を確定するために用いられ、各リソースユニットの前記タイプ情報は、当該リソースユニットが上りリソースユニット、下りリソースユニット、保護リソースユニットのうちの一つであることを示す。
【００１１】
本発明の１つの形態は、無線通信のための方法を提供し、リソース構成情報を確定することと、前記搬送波において通信するために、前記リソース構成情報を送信することとを含み、前記リソース構成情報は、特定の搬送波の周波数と時間で区分される複数のリソースユニット及び各リソースユニットのタイプ情報を確定するために用いられ、各リソースユニットの前記タイプ情報は、当該リソースユニットが上りリソースユニット、下りリソースユニット、保護リソースユニットのうちの一つであることを示す。
【００１２】
本発明の１つの形態は、無線通信のための装置を提供し、リソース構成情報を受信するように構成される受信ユニットと、前記リソース構成情報に基づいて特定の搬送波の周波数と時間で区分される複数のリソースユニット及び各リソースユニットのタイプ情報を確定し、前記リソース構成情報に基づいて前記搬送波において通信を行うように構成される処理ユニットとを含み、各リソースユニットの前記タイプ情報は、当該リソースユニットが上りリソースユニット、下りリソースユニット、保護リソースユニットのうちの一つであることを示す。
【００１３】
本発明の１つの形態は、無線通信のための装置を提供し、リソース構成情報を確定するように構成される処理ユニットと、前記リソース構成情報を送信するように構成される送信ユニットとを含み、前記リソース構成情報は、特定の搬送波の周波数と時間で区分される複数のリソースユニット及び各リソースユニットのタイプ情報を確定するために用いられ、各リソースユニットの前記タイプ情報は、当該リソースユニットが上りリソースユニット、下りリソースユニット、保護リソースユニットのうちの一つであることを示す。
【００１４】
本発明の１つの形態は、通信装置を提供し、メモリー及びプロセッサーを含む。当該プロセッサーがメモリーに記憶される命令を実行して、当該通信装置が本発明の各実施例の方法を実行する。
【００１５】
本発明の１つの形態は、コンピュータプログラム製品を提供し、命令セットが記憶されるコンピュータ可読媒体を含み、前記命令が１つ以上のプロセッサーによって実行され、当該命令セットが実行される場合、機器が本発明の各実施例の方法を実行する。
【００１６】
本発明の実施例に基づく技術案によって、１つのフレームにおいて、ターゲット搬送波の周波数及び時間という２次元的にリソースユニットを区分し、各々のリソースユニットを上りリソースユニット又は下りリソースユニットとして構成することができ、さらに、互いに干渉する可能性がある２つのリソースユニットの間に保護リソースユニットを挿入し、このように、同一のターゲット搬送波の周波数帯の帯域幅でも異なる時間間隔において多種の上り／下り割合を提供し、上り／下りデータトラフィックの変化を柔軟に適応し、各リソースユニットの間の干渉問題を有効に解決することができる。
【図面の簡単な説明】
【００１７】
【図１】従来のＬＴＥ ＴＤＤシステムの無線フレーム構造を示す図である。
【図２】本発明の１つの実施例に係るリソース構成方式を示す図である。
【図３】本発明の１つの実施例に係る通信方法を示す図である。
【図４】本発明の１つの実施例に係る通信方法を示す図である。
【図５】本発明の１つの実施例に係る通信方法を示す図である。
【図６】本発明の１つの実施例に係る通信装置を示す図である。
【図７】本発明の１つの実施例に係る通信装置を示す図である。
【発明を実施するための形態】
【００１８】
すべての図に、同じ符号は類似又は対応する特徴又は機能を示す。
【００１９】
本発明の上記及び他の特徴、利点は、上記の図を参照し、明らかになる。
【００２０】
図２は本発明の１つの実施例に係るリソースの構成を示す図である。図２に示すフレーム構造において、時間及び周波数において無線リソースを複数のリソースユニットとして区分し、各リソースユニットがその時間長及び占用する周波数帯域幅（以下、時間スパンと周波数スパンと呼ばれる）によって示す。説明の便宜上、該例に示されている複数のリソースユニットは、時間における全長を１つのフレームの長さとし、例えば、１０ｍｓであるが、これに限定されなく、周波数において全長をセルの１つの搬送波の周波数帯域幅とし、例えば、１００ＭＨｚであるが、これに限定されない。
【００２１】
図２に示されるフレーム構造において、時間−周波数におけるリソースユニットを単位として無線リソースが割り当てられ、各リソースユニットが占用する時間スパン及び周波数スパンは必ず同じではなく、同じく構成してもよいし、相違に構成してもよく、それによって、柔軟なリソース構成を提供する。各リソースユニットの時間スパン及び周波数スパンを柔軟に構成することで、多種の上り／下りの割合及び多種の異なるサービスの異なるニーズをサポートすることができる。例えば、図２の第１の列、第３の行及び第５行に示すように、より大きい時間スパンを有する上り／下りリソースユニットを提供することによって、突発的なサービスの性能を改善し、特に、大きいな突発的なサービスの伝送シーンに有利である。
【００２２】
各リソースユニットを上り伝送のためのリソースユニット（図に上向き矢印が示すように、以下、上りリソースユニットと呼ばれる）、下り伝送のためのリソースユニット（図に下向き矢印が示すように、以下、下りリソースユニットと呼ばれる）又は保護のためのリソースユニット（図に灰色のフレームが示すように、以下、保護リソースユニットと呼ばれる）として構成することができる。
【００２３】
保護リソースユニットは、周波数領域においてお互いに干渉する可能性がある２つのリソースユニットを隔離するために用いられる。図２に示すように、時間領域において重なる２つのリソースユニットがお互いに干渉する可能性がある場合、この２つのリソースユニットの間に１つの保護リソースユニットを配置することができる。なお、ここで、重なることは、一部に重なること及び完全に重なることを含む。なお、時間領域において重なる前後の２つのリソースユニットは、周波数における前後の二つのリソースユニットである。
【００２４】
１つの実施形態において、時間領域において重なる前後のリソースユニットの間の伝送方向が変化する場合、例えば、１つは上りリソースユニットであり、もう１つは下りリソースユニットである場合、この２つのリソースユニットの間に保護リソースユニットを配置することができる。
【００２５】
他の実施形態として、時間領域において重なる前後の２つのリソースユニットの伝送方向が同じであり、例えば、共に下りリソースユニットであり、又は共に上りリソースユニットである場合、この２つのリソースユニットの関連パラメータに基づいてこの２つのリソースユニットの間に保護リソースユニットを配置する必要があるかどうかを確定することができる。通常、この２つのリソースユニットの関連パラメータが異なる場合、これらの間に保護リソースユニットを配置することができる。例えば、１つのリソースユニットの関連パラメータは、時間スパン、周波数スパン、サブ搬送波間隔、サブ搬送波数、サイクリックプレフィックス（ＣＰ）長さ、下り測定基準信号（ＲＳ）の有無、下り測定ＲＳの構成情報、上り検出信号（ＳＲＳ）の送信をサポートするかどうか、ＳＲＳの構成情報、物理上りリンク制御チャネル（ＰＵＣＣＨ）の送信をサポートするかどうか、ＰＵＣＣＨの構成情報、物理下りリンク制御チャネル（ＰＤＣＣＨ）又は補強の物理下りリンク制御チャネル（ＥＰＤＣＣＨ）の送信をサポートするかどうか、及びＰＤＣＣＨ／ＥＰＤＣＣＨの構成情報のうちの少なくとも１つを含む。例えば、この２つのリソースユニットのサブ搬送波間隔が異なる場合、この２つのリソースユニットの間に保護リソースユニットを配置することができる。例えば、１つのリソースユニットが１つ以上の１５ｋＨｚのサブ搬送波を含み、それに対してもう１つのリソースユニットが１つ以上の７.５ｋＨｚのサブ搬送波を含む場合、サブ搬送波間隔が異なるため、サブ搬送波が直交しないという問題があり、これより、この２つのリソースユニットの間の大きい干渉を引き起こし、そして、これらの間に保護リソースユニットを設けることができる。
【００２６】
他の実施形態において、保護リソースユニットを配置するかどうかを確定する場合、時間領域において重なる前後の２つのリソースユニットが周波数領域における相互干渉の保護条件を満たすか否かのようなそのたの要因も考慮することが可能であり、例えば、リソースユニットの外輻射がある閾値よりも大きいか否かのケースであり、外輻射が閾値より大きい場合、保護リソースユニットを挿入する。
【００２７】
他の実施形態において、保護リソースユニットを配置するかどうかを確定する場合、以上の２つの実施形態の以外、他の要因を考慮することが可能である。例えば、時間領域において重なる前後の２つのリソースユニットの間の伝送方向が変化され、かつ周波数領域において相互干渉の保護条件を満たさない場合、この２つのリソースユニットの間に保護リソースユニットを配置することができる。例えば、時間領域において重なる前後の２つのリソースユニットの関連パラメータが異なり、かつ周波数領域において相互干渉の保護条件を満たさない場合、これらの間に保護リソースユニットを配置することができる。
【００２８】
１つの実施形態において、時間領域において重なる前後の２つのリソースユニットの間に保護リソースユニットを配置する時に、保護リソースユニットは、時間において、保護しようとする２つのリソースユニットの時間において重なる部分をカバーするように配置される。
【００２９】
１つの実施形態において、時間領域において重なる前後の２つのリソースユニットの間に保護リソースユニットが配置される場合、保護される２つのリソースユニットの特性に基づいて保護リソースユニットの周波数スパンを確定することができる。例えば、通常、この２つのリソースユニットのうちの一方が干渉側であり、他方が干渉受け側であり、勿論、両者が相互干渉し合う可能性もあり、典型的に、下り送信が上り受信に干渉する。干渉側の特性（例えば基本信号波形及びサブ搬送波幅等のパラメータ、送信電力、周波数領域の連続使用するリソース大きさ等）及び干渉受け側で保護する必要な程度又は性能要求（例えば、使用する基本信号波形及びパラメータ、サービスタイプ等が受ける可能な最大干渉特徴、例えばブロッキング（ｂｌｏｃｋｉｎｇ）及び減感（ｄｅ−ｓｅｎｓｉｔｉｚａｔｉｏｎ）等）に基づいて、保護リソースユニットの周波数スパンを確定することができる。他の実施形態において、保護リソースユニットの周波数スパンは予め定義されたのもであってよい。
【００３０】
１つの実施形態において、保護リソースユニットの時間スパン及び／又は周波数スパンは、シグナリングによって指示されてもよい。例えば、基地局が端末に指示する。他の実施形態において、リソース割り当て状況によって、保護リソースユニットの周波数スパンを暗示的に推算することができ、そのため、基地局が端末に保護リソースユニットの周波数スパン及び／又は時間スパンを明確に指示する必要がなく、端末に上りリソースユニット及び下りリソースユニットの時間周波数情報のみを指示して、保護リソースユニットの時間周波数情報を確定することができる。それに対応し、基地局が端末に保護リソースユニットのタイプ情報を明確に指示する必要がなく、当該タイプ情報は、あるリソースユニットが保護リソースユニットであることを示す。
【００３１】
１つの実施形態において、保護リソースユニットの時間-周波数領域においていずれの情報も伝送しなくてもよく、即ち、保護リソースユニットを空白のリソースユニットとして配置する。
【００３２】
他の実施形態において、保護リソースユニットの時間-周波数領域において上り／下りリソースユニットの帯域外輻射を低減させるための情報を伝送してもよく、例えば、保護リソースユニットにおいて上り／下りリソースユニットの帯域外輻射の位相と反対する情報を伝送して、上り／下りリソースユニットの干渉をさらに低減させることができる。
【００３３】
以上、図２に示すフレーム構造を参照し、１つの実施形態におけるリソース構成方式を説明している。なお、図２に示すフレーム構造と類似する方式に基づいて、複数の具体的なリソース構成方式を提供し、ネットワーク状況に応じて、適当なリソース構成方式を使用し、又はネットワーク状況に応じてリソース構成方式を動的に調整することができる。
【００３４】
図２の説明において、セルの１つの搬送波を例として１つの実施形態におけるリソース構成方式を説明している。セルは、複数の搬送波を有してもよく、例えば、３つの搬送波を有するが、これらに限定しない。図２に示すリソース構成方式は、複数の搬送波に適用することもできる。例えば、セルの複数のキャリアアグリゲーションである場合、アグリゲーション後の総帯域幅を周波数において区分して、複数のリソースユニットを取得し、この時の図２の周波数方向において総帯域幅は、キャリアアグリゲーション後の総帯域幅であると受け取られても良い。また、例えば、セルの複数の搬送波に対し、図２に示すフレーム構造のリソース構成をそれぞれ提供してもよく、複数の搬送波にそれぞれ提供するリソース構成は、同じであってもよいし、相違してもよいことを理解すべきである。
【００３５】
なお、以上、図２に示すフレーム構造の周波数領域の総帯域幅をターゲット搬送波の帯域幅として記載されるが、区分の基礎とする周波数領域帯域幅は、ターゲット搬送波の総帯域幅の一部であってもよい。
【００３６】
なお、以上、図２に示すフレーム構造において、周波数及び時間で区分される各リソースユニットは、図２に周波数において連続したものを示すが、周波数で区分されるリソースユニットの間は、周波数において連続ではなく、隣接するものであってもよいことを理解すべきである。例えば、区分される時間において重なる前後の２つのリソースユニットの間は、周波数において一定の距離が離れている可能性がある。また、例えば、時間において重なる２つのリソースユニットの間は、１つのリソースユニットは当該リソースユニット外の一定の周波数範囲において無視できない輻射が発生し、例えば閾値を超える輻射が発生し、他方のリソースユニットの一部又は全体が当該閾値を超える輻射の範囲内にあり、この場合、この２つのリソースユニットを隣接するものとして受け取っても良い。
【００３７】
図３は本発明の１つの実施例に係る通信方法３００のフローチャートである。
【００３８】
ステップＳ３１０において、基地局がリソース構成情報を確定し、当該リソース構成情報は、例えば以上の図２に示すリソース構成又はフレーム構造を示す。具体的に、当該リソース構成情報は、特定の搬送波の周波数及び時間で区分される複数のリソースユニット及び各リソースユニットのタイプ情報を確定するために用いられる。例えば、各リソースユニットのタイプ情報は、当該リソースユニットが上りリソースユニット、下りリソースユニット、保護リソースユニットのうちの一つであることを示す。
【００３９】
１つの実施形態において、リソース構成情報は、周波数及び時間で区分される複数のリソースユニットの大きさ、位置及びタイプを明確に示す。他の実施形態において、リソース構成情報は、周波数及び時間で区分される複数のリソースユニット内の上りリソースユニット及び下りリソースユニットの大きさ、位置及びタイプを明確に示す。端末は、上りリソースユニット及び下りリソースユニットの大きさ及び位置に基づいて、保護リソースユニットの大きさ及び位置を確定することができる。この場合、リソース構成情報は、保護リソースユニットの大きさ、位置及びタイプを暗示的に示す。
【００４０】
１つの実施形態において、基地局は、予め定義された多種のリソース構成から１つのリソース構成を選定することができる。他の実施形態において、基地局は、上記のリソース構成情報を動的に生成することができる。他の実施形態において、基地局は、予め定義されたリソース構成の上で、少なくとも一部のリソースユニットの構成を動的に調整することができる。
【００４１】
ステップＳ３２０において、基地局は、確定したリソース構成情報を送信する。１つの実施形態において、システム情報（ＳＩ）によって当該リソース構成情報を送信してもよい。他の実施形態において、上位レイヤシグナリングによって当該リソース構成情報を送信してもよい。他の実施形態において、下り制御情報（ＤＣＩ）によって当該リソース構成情報を送信してもよい。
【００４２】
ステップＳ３３０において、端末は、当該リソース構成情報を受信した後、当該構成情報に基づいて、セルのリソース構成、例えば図２に示されるリソース構成を確定することができる。
【００４３】
ステップＳ３４０において、端末と基地局の間は、示されるリソース構成に基づいて、特定搬送波の周波数において通信を実現することができる。
【００４４】
１つの実施形態において、ステップＳ３２０において、基地局は、使用するリソース構成情報を繰り返して送信し、当該リソース構成情報が使用するリソース構成（例えば、各リソースユニットのタイプ及び／又は関連パラメータ）に基づいて周期的に繰り返し、例えば、フレーム長さを単位として周期的に繰り返し、前記フレーム長さは、例えば１０ｍｓであるが、これに限定しない。例えば、システム情報又は上位レイヤシグナリングで当該リソース構成情報を周期的に送信する。
【００４５】
他の実施形態において、ステップＳ３１０において、基地局は、ネットワーク状況（例えば、現在のサービスの性能要求）に応じてリソース構成情報を更新し、ステップＳ３２０において、当該更新されたリソース構成情報を送信する。例えば、ＤＣＩによって当該更新されたリソース構成情報を送信する。例えば、共通の探索空間（ＣＳＳ）において、当該構成情報が含まれるＤＣＩを送信する。１つの実施形態において、基地局は、１つのフレームの終了を待ってから、更新されたリソース構成情報を送信する必要とせず、１つのフレーム内の任意時点で更新されたリソース構成情報を送信してもよく、変化する通信性能要求を早速に適応することができる。
【００４６】
図４は本発明の１つの実施例に係る通信方法４００のフローチャートである。
【００４７】
ステップＳ４１０において、基地局は、リソース構成情報を確定し、ステップＳ３１０の操作と類似する。
【００４８】
ステップＳ４２０において、基地局は、使用するリソース構成情報を繰り返して送信する。当該リソース構成情報の使用するリソース構成（例えば各リソースユニットのタイプ及び／又は関連パラメータ）に基づいて、周期的に繰り返し、例えば、フレーム長さを単位として周期的に繰り返す。例えば、システム情報又は上位レイヤシグナリングによって当該リソース構成情報を周期的に送信する。
【００４９】
ステップＳ４３０において、端末は、当該リソース構成情報を受信した後、当該構成情報に基づいて、特定搬送波においてリソース構成を確定することができる。
【００５０】
ステップＳ４４０において、端末と基地局は、当該周期的に繰り返したリソース構成に基づいて、特定搬送波において通信を実現することができる。
【００５１】
ステップＳ４５０において、基地局は、当該リソース構成の一部又は全体（例えば、一部又は全体のリソースユニットのタイプ及び／又は関連パラメータ）を動的に調整して、更新されたリソース構成を取得し、しかも、基地局は、当該更新されたリソース構成の有効期限を決定することができる。例えば、基地局は、更新されたリソース構成の有効期限を一時有効のように決定し、例えば、１つ以上の伝送時間間隔を維持し、その後、以前の周期的に繰り返すリソース構成に自動に回復する。例えば、基地局は、次の更新されるリソース構成を受信するまで、更新されたリソース構成がずっと有効であることを決定することができる。この場合、ステップＳ４１０において送信する周期的なリソース構成は、現在有効なリソース構成であるべきである。
【００５２】
ステップＳ４６０において、基地局は、当該更新されたリソース構成を送信し、また、当該更新されたリソース構成が一時有効であるという指示を選択して送信する。例えば、ＤＣＩによって当該更新されたリソース構成情報を送信する。これに対応し、端末は、当該更新されたリソース構成を受信した後、当該更新されたリソース構成が一時有効期限において有効であることを確定し、次に、基とされる周期的に繰り返すリソース構成に回復し、又は、次の更新されたリソース構成を受信するまで、当該更新されたリソース構成がずっと有効であることを確定する。例えば、周期的に繰り返すリソース構成を基とする場合、端末は、特定の時点の後に、動的に変化するリソース構成情報に応じて操作し、基とされる周期的に繰り返すリソース構成に回復しなくてもよい。当該特定の時点は、例えば、予め設定された時点、基地局によって指定する時点、又は基地局からの指示に対応する時点であり、基地局からの指示は、例えば、次の更新されたリソース構成を受信するまで更新されたリソース構成がずっと有効であることを示す。
【００５３】
ステップＳ４７０において、端末と基地局の間は、当該更新されたリソース構成に基づいて、ターゲット搬送波において通信し、また、任意選択で、当該更新されたリソース構成の有効期間の後、上記回復したリソース構成に基づいて、通信を実現する。
【００５４】
図５は本発明の１つの実施例に係る通信方法のフローチャートである。
【００５５】
ステップＳ５１０において、基地局は、端末にリソースを割り当て、リソーススケジューリング情報を生成する。当該リソーススケジューリング情報は、上記リソース構成の複数のリソースユニット内の端末がデータを受信又は送信するためのリソースユニットを示す。
【００５６】
ここで、例えば、図２に示す柔軟なリソース構成方式を使用するとともに、確認フィードバック機構をさらに改良する。
【００５７】
１つの実施形態において、基地局は、端末に下りデータ伝送のためのリソースユニットＡを割り当て又はスケジューリングし、当該リソースユニット後のＮ１個の伝送間隔（ＴＴＩ）の後に、対応するＡＣＫ/ＮＡＣＫを受信するようにスケジューリングする。これは、Ｎ１個の伝送間隔（ＴＴＩ）の後に、フィードバックを確認するために、１つの上りリソースユニットＢをスケジューリングする必要があることを意味する。Ｎ１は、異なるタイプの端末（例えばｅＭＢＢ、ＵＲＬＬＣ及びｍＭＴＣ）に対し、その値の範囲が相異する可能性がある。１つの実施形態において、下りリソースユニットＡの時間位置と時間オフセットとに基づいて、上りリソースユニットＢの時間位置を確定することができ、ここで、当該時間オフセットは、単位時間スパンとＮ１との積と等しい。１つの実施形態において、当該単位時間スパンは、下りリソースユニットＡの時間スパンと等しい。他の実施形態において、当該単位時間スパンは、下りリソースユニットＡの時間スパンに基づいて暗示的に確定する。例えば、予め定義された計算方法に基づいて、下りリソースユニットＡの時間スパンに基づいて当該単位時間スパンを計算することができる。他の実施形態において、当該単位時間スパンは、基地局からのシグナリングによって確定されることが可能である。
【００５８】
他の実施形態において、基地局は、端末に上りデータ伝送のためのリソースユニットＣを割り当て又はスケジューリングし、当該リソースユニット後のＮ２個の伝送間隔（ＴＴＩ）後に、対応するＡＣＫ/ＮＡＣＫを受信するようにスケジューリングする。これは、Ｎ２個の伝送間隔（ＴＴＩ）後に、フィードバックを確認するために、１つの下りリソースユニットＤをスケジューリングする必要があることを意味する。Ｎ２は、異なるタイプの端末（例えば、ｅＭＢＢ、ＵＲＬＬＣ及びｍＭＴＣ）に対し、その値の範囲が相異する可能性がある。１つの実施形態において、リソースユニットＣの時間位置と時間オフセットとに基づいて、リソースユニットＤの時間位置を確定し、ここで、当該時間オフセットは、単位時間スパンとＮ２との積と等しい。１つの実施形態において、当該単位時間スパンは、下りリソースユニットＢの時間スパンと等しい。他の実施形態において、当該単位時間スパンは、下りリソースユニットＢの時間スパンに基づいて、暗示的に確定することができる。他の実施形態において、当該単位時間スパンは、基地局からのシグナリングによって確定されることが可能である。
【００５９】
１つの実施形態において、上記伝送間隔（ＴＴＩ）の値は、スケジューリングされる、データ伝送のためのリソースユニットの時間スパンであってもよい。なお、スケジューリングされる、データ伝送のためのリソースユニットの時間スパンは、変わらないものではない。
【００６０】
他の実施形態において、基地局は、ＡＣＫフィードバックが必要でないことを確定してもよい。例えば、Ｎ１又はＮ２の値を特定の値として設定し、例えば、０として設定して、ＡＣＫフィードバックが必要がないことを示す。
【００６１】
ステップＳ５１０において、基地局は、基地局のために、データを受信又は送信するためのリソースユニットをスケジューリングする以外に、当該データに対応する確認フィードバックを送信又は受信するためのリソースユニットをスケジューリングする。基地局は、リソース割り当てメッセージにおいてフィードバックのためのリソースユニットを明示的に示してもよく、リソース割り当てメッセージにおいて、当該フィードバックのためのリソースユニットを暗示的に示すように上記Ｎ１又はＮ２を示してもよい。
【００６２】
ステップＳ５２０において、基地局は、生成したリソーススケジューリング情報を送信する。例えば、当該リソーススケジューリング情報は、ＤＣＩによって送信してもよい。
【００６３】
ステップＳ５３０において、端末は、当該リソーススケジューリング情報を使用して、当該端末に割り当てる伝送リソースを確定する。
【００６４】
ステップＳ５４０又はステップＳ５４０’において、端末は、当該リソーススケジューリング情報に示される、割り当てるリソースユニットを使用して、下りデータを受信し、又は上りデータを送信する。
【００６５】
ステップＳ５５０又はステップＳ５５０’において、端末は、当該リソーススケジューリング情報に示される、確認情報を伝送するためのリソースにおいて、下りデータのための確認情報を送信し、又は上記上りデータのための確認情報を受信する。
【００６６】
図６は本発明の１つの実施例に係る通信装置６００を示す図である。装置６００は、送信ユニット６１０、受信ユニット６２０及び処理ユニット６３０を含む。なお、送信ユニット６１０及び受信ユニット６２０は、送受信ユニットと呼ばれ又は実現される。
【００６７】
１つの実施形態において、当該装置６００は端末であり、受信ユニット６２０及び処理ユニット６３０を含み、受信ユニット６２０は、リソース構成情報を受信するように構成され、処理ユニット６３０は、受信したリソース構成情報に基づいて、特定搬送波の周波数及び時間で区分される複数のリソースユニット及び各リソースユニットのタイプ情報を確定し、前記リソース構成情報に基づいて、前記搬送波において通信するように構成され、ここで、前記タイプ情報は、各リソースユニットが上りリソースユニット、下りリソースユニット、保護リソースユニットのうちの一つであることを示す。なお、受信ユニット６２０と処理ユニット６３０は、図２〜５の各操作を実行することができる。
【００６８】
１つの実施形態において、当該装置６００は基地局であり、処理ユニット６３０及び送信ユニット６１０を含み、処理ユニット６３０は、リソース構成情報を確定するように構成され、当該リソース構成情報は、特定搬送波の周波数及び時間で区分される複数のリソースユニット及び各リソースユニットのタイプ情報を示し、ここで、前記タイプ情報は、各リソースユニットが上りリソースユニット、下りリソースユニット、保護リソースユニットのうちの一つであることを示し、送信ユニット６１０は、前記リソース構成情報を送信するように構成される。なお、送信ユニット６１０と処理ユニット６３０は、図２〜５の各操作を実行することができる。
【００６９】
図７は本発明の１つの実施例に係る通信装置７００を示す図である。装置７００は、メモリー７１０及びプロセッサー７２０を含む。当該プロセッサー７２０は、メモリー７１０に記憶される命令を実行して、当該通信装置７００が各実施例における操作を実行する。
【００７０】
以上、図目を参照し、本発明のいくつかの実施例を説明する。これらの実施例は、任意に組み合わせて、本発明の記載の範囲を超えない。
【００７１】
本願に使用する「確定」という単語は、多種の動作を含む。例えば、「確定」は、計算、演算、処理、派生、調査、検索（例えば、表、データベース又はその他のデータ構成で検索する）、判定等を含む。なお、「確定」は、受信（例えば、情報を受信）、アクセス（例えば、メモリー内のデータをアクセスする）等をさらに含む。なお、「確定」は、解決、選定、選択、確率等をさらに含む。
【００７２】
情報と信号は、多種の異なる技術及び方法によって示すことができる。例えば、以上に記載されるデータ、指令、命令、情報、信号等は、電圧、電流、電磁波、磁場、磁性粒子、ライトフィールド又は光粒子の組み合わせを示す。
【００７３】
本願の前記機能を実行するための通用プロセッサー、デジタル信号プロセッサー（ＤＳＰ）、特定用途向け集積回路（ＡＳＩＣ）、フィールドプログラマブルゲートアレイ信号（ＦＰＧＡ）又は他のプログラマブルユニットデバイス（ＰＬＤ）、離散ゲート又はトランジスタユニット、ディスクリートハードウェアコンポーネント又はその組み合わせは、本願に開示される各種の例示的なロジックブロック図、モジュール及び回路を実現や実行することができる。通用プロセッサーは、マイクロプロセッサー、商用プロセッサー、コントローラー、マイクロコントローラー又はステートマシンであってもよい。プロセッサーは計算設備の組み合わせを実現することができ、例えば、ＤＳＰとマイクロプロセッサーとの組み合わせ、複数のマイクロプロセッサー、１つ以上のマイクロプロセッサーとＤＳＰ内コアとの組み合わせ、又はたの構成であってもよい。
【００７４】
本願に記載された方法又はアルゴリズムのステップは、ハードウェアを直接に実現し、プロセッサーがソフトウェアモジュール又は両方の組み合わせを実行する。１つの実施例において、発信ＵＥに位置するプロセッサーは、記憶媒体に記憶されるコンピュータプログラム(命令)を実行し、上記各実施例におけるステップを実行して、サービス通信を確定するためのコーデックモードセットの方法を実現する。ソフトウェアモジュールは、当分野での既知の記憶媒体に位置する。いくつかの例示的な記憶媒体、例えば、ランダムアクセスメモリー（ＲＡＭ）、読み取り専用メモリー（ＲＯＭ）、フラッシュメモリ、ＥＰＲＯＭメモリー、ＥＥＰＲＯＭメモリー、レジスタ、ハードディスク、移動ハードディスク、ＣＤ−ＲＯＭ等を使用してもよい。ソフトウェアモジュールは、１つの命令又は複数の命令を含み、これらの命令は、異なるコードセグメント、異なるプログラム、複数の記憶媒体に位置してもよい。記憶媒体は、プロセッサーに接続されて、プロセッサーは当該記憶媒体から情報を読み、当該記憶媒体に情報を書き込むことができる。又は、記憶媒体は、プロセッサーの構成部分であってもよい。
【００７５】
本願に開示される方法は、前記方法を実現する1つ以上のステップ又は動作を含む。本発明の保護範囲において、これらの方法ステップ及び／又は動作は、切換えてもよい。つまり、特定の順番を指定するステップ又は動作以外、本発明の保護範囲において、特定ステップ及び／又は動作の順番を変更及び／又は使用することができる。
【００７６】
本願の前記機能は、ハードウェア、ソフトウェア、ファームウェア、またはそれらの組み合わせを使用してもよく。ソフトウェアを使用して実現する場合、これらの機能を１つ以上の命令としてコンピュータ可読媒体に記憶されてもよい。記憶媒体は、コンピュータ読み取り可能な記憶媒体であってもよい。例示的なものによって、このようなコンピュータ可読媒体は、ＲＡＭ、ＲＯＭ、ＥＥＰＲＯＭ、ＣＤ−ＲＯＭ又は他のディスクストレージ、ディスク記憶媒体、磁気記憶装置、携帯用又は記憶する命令又はデータ構成のプログラムコード、又はコンピュータアクセス可能な他の記憶媒体であってもよい。本願に使用するディスクは、圧縮ディスクＣＤ）、レーザーディスク、ディスク、デジタル多目的ディスク(ＤＶＤ)、フロッピーディスク、ブルーレイＢｌｕ−ｒａｙ（登録商標）、ここで、ディスク（ｄｉｓｋ）は、データを磁気的に複製し、ディスク（ｄｉｓｃ）は、データをレーザーで複製する。
【００７７】
なお、ソフトウェア又は命令は、伝送媒体を介して伝送することができる。例えば、ソフトウェアが、同軸ケーブル、光ファイバケーブル、ツイストペア、デジタルユーザー経路（ＤＳＬ）、赤外線、無線、マイクロ波のような無線技術でウェブサイト、サーバー又は他の遠距離ソース伝送されたものであり、同軸ケーブル、光ファイバケーブル、ツイストペア、ＤＳＬ、赤外線、無線、マイクロ波のような無線技術が、伝送媒体の定義に含まれる。
【００７８】
なお、本願の前記方法及び技術を実行するモジュール及び／又は他のものは、ユーザー端末及び／又は基地局を介して、ダウンロード及び／又は取得する。例えば、この設備は、サーバーに接続して、本願の前記方法を実行するモジュールを実現する。又は、本願の前記各種の方法は、記憶モジュール（例えば、ＲＡＭ、ＲＯＭ、例えば、圧縮ディスク（ＣＤ）又はフロッピーディスクのような物理記憶媒体等）から提供してもよく、ユーザー端末及び／又は基地局は、記憶モジュールを当該設備に接続または提供する場合、各種の方法を取得する。なお、設備に本願の前記方法、技術、他の適当な技術を提供してもよい。
【００７９】
なお、本発明は、上記の構成及び部品に限定しない。本発明の保護範囲において、上記の前記方法と装置の位置、操作、及び細部を変更、改良、変化することができる。
【００８０】
本発明は、上記の実施例に限定しなく、当業者がこれによって派生した他の技術案は、本発明の保護範囲にある。そして、本発明の保護範囲は、請求項によって限定する。
【００８１】
なお、請求項において、単語「含む」は、既存の請求項又は明細書に挙げない部品、ユニット、又は装置を排除しない。部品、ユニット又は装置の前の単語「１つ」又は「１個」は、複数の部品、ユニット又は装置を排除しない。いくつかのユニットを挙げた装置の請求項において、これらのユニットの幾つかは、同じタイプのソフトウェア及び／又はハードウェアによって実現することができる。
【図１】
2019516283.tif 000004
【図２】
2019516283.tif 000005
【図３】
2019516283.tif 000006
【図４】
2019516283.tif 000007
【図５】
2019516283.tif 000008
【図６】
2019516283.tif 000009
【図７】
2019516283.tif 000010
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
無線通信のための方法であって、
リソース構成情報を受信することと、
前記リソース構成情報に基づいて搬送波において通信することとを含み、
ここで、前記リソース構成情報は、特定の搬送波の周波数と時間で区分される複数のリソースユニット及び各リソースユニットのタイプ情報を確定するために用いられ、
各リソースユニットの前記タイプ情報は、当該リソースユニットが上りリソースユニット、下りリソースユニット、保護リソースユニットののうちの一つに属することを示す、前記方法。
【請求項２】
前記リソース構成情報は、前記複数のリソースユニットのうちの前記上りリソースユニット又は前記下りリソースユニットとしての各リソースユニットの関連パラメータを少なくとも含み、前記リソース構成情報は、
時間スパン、
周波数スパン、
サブ搬送波間隔、
サブ搬送波数、
サイクリックプレフィックス（ＣＰ）長さ、
下り測定基準信号（ＲＳ）の有無、
下り測定ＲＳの構成情報、
上り検出信号（ＳＲＳ）の送信をサポートするかどうか、
ＳＲＳの構成情報、
物理上りリンク制御チャネル（ＰＵＣＣＨ）の送信をサポートするかどうか、
ＰＵＣＣＨの構成情報、
物理下りリンク制御チャネル（ＰＤＣＣＨ）又は補強の物理下りリンク制御チャネル（ＥＰＤＣＣＨ）の送信をサポートするかどうか、及び
ＰＤＣＣＨ／ＥＰＤＣＣＨの構成情報のうちの少なくとも１つを含む、
請求項１に記載の方法。
【請求項３】
前記複数のリソースユニットの少なくとも一部のリソースユニットの時間スパン及び／又は周波数スパンは相違し、又は、
前記複数のリソースユニットの時間スパン及び周波数スパンは同じである、
請求項１又は２に記載の方法。
【請求項４】
前記複数のリソースユニットには、時間において重なり且つ周波数において重ならない、連続又は近接する第１のリソースユニット、第２のリソースユニット及び第３のリソースユニットが含まれ、
前記第１のリソースユニット、前記第２のリソースユニット及び前記第３のリソースユニットは、それぞれ前記上りリソースユニット、前記保護リソースユニット及び前記下りリソースユニットであり、又は、それぞれ前記下りリソースユニット、保護リソースユニット及び上りリソースユニットである、
請求項１又は２に記載の方法。
【請求項５】
前記複数のリソースユニットには、時間において重なり且つ周波数において重ならない、連続又は近接する第１のリソースユニット、第２のリソースユニット及び第３のリソースユニットが含まれ、
前記第１のリソースユニットと前記第３のリソースユニットは、共に前記上りリソースユニットであり、又は、共に前記下りリソースユニットであり、前記第２のリソースユニットは前記保護リソースユニットである、
請求項１又は２に記載の方法。
【請求項６】
前記第２のリソースユニットは、時間において、前記第１のリソースユニットと前記第３のリソースユニットとの時間において重なる部分をカバーする、
請求項４又は５に記載の方法。
【請求項７】
前記第２のリソースユニットの周波数スパンは、前記第１のリソースユニットと前記第３のリソースユニットの特性によって確定されたものである、
請求項４又は５に記載の方法。
【請求項８】
前記第２のリソースユニットは、前記第１のリソースユニットと前記第３のリソースユニットの前記関連パラメータに基づいて、前記第１のリソースユニットと前記第３のリソースユニットとの間に設けられたものである、
請求項５に記載の方法。
【請求項９】
前記保護リソースユニットは、信号を伝送しないリソースユニットであり、又は、
前記保護リソースユニットは、リソースユニットの外輻射を少なくとも部分的に相殺するための情報を伝送するために用いられる、
請求項１〜５のいずれか１項に記載の方法。
【請求項１０】
前記複数のリソースユニットのタイプ情報及び／又は関連パラメータは、時間において周期的に繰り返され、又は、
前記複数のリソースユニットのタイプ情報及び／又は関連パラメータは、受信される更新したリソース構成情報によって動的に変化され、又は、
前記複数のリソースユニットのタイプ情報及び／又は関連パラメータは、時間において周期的に繰り返されることを基にして、特定の時間帯において前記複数のリソースユニット内の少なくとも一部のリソースユニットのタイプ情報及び／又は関連パラメータが、受信される更新したリソース構成情報よって動的に変化され、前記特定の時間帯の後に、前記基とされる前記周期的に繰り返される前記複数のリソースユニットのタイプ情報及び／又は関連パラメータに回復され、又は、
前記複数のリソースユニットのタイプ情報及び／又は関連パラメータは、時間において周期的に繰り返されることを基にして、特定の時点の後に、前記複数のリソースユニット内の少なくとも一部のリソースユニットのタイプ情報及び／又は関連パラメータが、受信される更新したリソース構成情報よって動的に変化される、
請求項１又は２に記載の方法。
【請求項１１】
前記構成情報は、システム情報、上位レイヤシグナリング、下り制御情報（ＤＣＩ）のうちの少なくとも１つによって受信されるものであり、
前記構成情報は、共通の探索空間（ＣＳＳ）において受信される前記ＤＣＩによって取得されるものである、
請求項１０に記載の方法。
【請求項１２】
前記方法は、リソーススケジューリング情報を受信することをさらに含み、
前記リソーススケジューリング情報は、前記複数のリソースユニット内の端末がデータを受信又は送信するための第１のリソースユニットを示し、しかも、前記リソーススケジューリング情報は、前記端末が前記データのための確認情報を送信又は受信するための第２のリソースユニットを示し、又は前記データのためではない確認情報を示す、
請求項１に記載の方法。
【請求項１３】
前記リソーススケジューリング情報は、１つの数値を示し、前記方法は、さらに、
前記数値が０でない場合、第１のリソースユニットの時間位置と時間オフセットとに基づいて前記第２のリソースユニットの時間位置を確定することを含み、
前記時間オフセットは、第１の単位時間スパンと前記数値との積であり、又は、
前記数値が０である場合、前記データのためではない確認情報と確定する、
請求項１２に記載の方法。
【請求項１４】
前記第１の単位時間スパンは、
前記第１のリソースユニットの時間スパンと等しく、又は、
前記第１のリソースユニットの時間スパンによって暗黙的に確定され、又は、
基地局によって送信されるシグナリングによって確定される、
請求項１３に記載の方法。
【請求項１５】
通信装置であって、
メモリー及びプロセッサーを含み、
前記プロセッサーがメモリーに記憶される命令を実行する場合、請求項１〜１４のいずれか１項に記載の方法を実現するように構成される、前記通信装置。
【国際調査報告】
2019516283.tif 000011
2019516283.tif 000012
2019516283.tif 000013
2019516283.tif 000014
2019516283.tif 000015
2019516283.tif 000016